(57)【要約】【課題】  既存の装置に容易に設置できるようにして設置コストを低減し、頻繁な交換を行なわなくても良くしてメンテナンスを容易にし、構造を簡単にして製造コストを低減するとともに空気に付与する磁場の強度を高めることができるようにして空気の清浄効率の向上を図る。【解決手段】  空気が流通する筒状体４０で囲繞される空気経路４１に設けられ、空気経路４１の中心側から外周に向けて放射状に設けられた複数の磁性体３０で構成されるコアＣを備え、コアＣを筒状体４０に嵌着可能に形成し、空気経路４１を流通する空気に磁場を付与させた。【選択図】  図１
2006175167.tif 000002
【特許請求の範囲】
【請求項１】
空気が流通する筒状体で囲繞される空気経路に設けられ流通する空気に磁場を付与する空気清浄装置において、
上記空気経路の中心側から外周に向けて放射状に設けられた複数の磁性体で構成されるコアを備え、該コアを上記筒状体に嵌着可能に形成したことを特徴とする空気清浄装置。
【請求項２】
上記コアに中心部材を設け、上記磁性体を、磁極が周方向両側面に存する矩形板状の永久磁石で構成し、該各磁性体を上記中心部材の外側に立設したことを特徴とする請求項１記載の空気清浄装置。
【請求項３】
上記各磁性体を、隣接する磁性体同士の磁極が互いに異なるように設けたことを特徴とする請求項２記載の空気清浄装置。
【請求項４】
上記中心部材を管体で構成し、該管体内に別の磁性体を配置したことを特徴とする請求項２または３記載の空気清浄装置。
【請求項５】
上記コアを、上記空気経路を構成し両端に接続部を有した接続筒体に予め嵌着したことを特徴とする請求項１，２，３または４記載の空気清浄装置。
【請求項６】
上記磁性体の表面磁束密度Ｂを５０ｍＴ（ミリテスラ）≦Ｂ≦１５００ｍＴ（ミリテスラ）としたことを特徴とする請求項１，２，３，４または５記載の空気清浄装置。
【発明の詳細な説明】
【技術分野】
【０００１】
本発明は、空気経路を流通する空気に磁場を付与して流通した空気中の細菌等の微生物を減少させあるいは繁殖を抑制する空気清浄装置に関する。
【背景技術】
【０００２】
従来、この種の空気清浄装置としては、例えば、特許文献１（特開２００１−２０１１６９号公報）に記載されたものが知られている。
【０００３】
図１５に示すように、この従来の空気清浄装置Ｄａは、四方向天井吊り下げ型のエアコンで構成されている。空気清浄装置Ｄａの底面中央には、室内の空気を吸い込むための吸入口１が形成されている。吸入口１には、磁性体で形成されたフィルタ２が設けられている。また、空気清浄装置Ｄａには、吸い込んだ空気を室内に送風するための送風口３が設けられている。送風口３には、磁性体で形成された送風フラップ４が設けられている。
空気清浄装置Ｄａの内部には、吸入口１から送風口３に亘って空気通路５が形成され、空気通路５の途中には、送風ファン６と室内熱交換部７とが設けられている。送風ファン６は、磁性体で形成されている。室内熱交換部７の底面には、室内熱交換部７から生じた凝縮水を受けるドレンパン８が設けられている。ドレンパン８は、その表面は磁性体で形成されるとともに、内部は発砲ウレタン等で形成されている。
【０００４】
この空気清浄装置Ｄａを運転させると、送風ファン６により気流が形成されて、室内空気は、吸入口１から吸い込まれるとともにフィルタ２で埃が除去された後、空気通路５を通り、室内熱交換部７で冷却され、送風フラップ４によって空気の流れ方向が制御されつつ送風口３から吐出される。この際、空気清浄装置Ｄａに吸い込まれた空気に、磁性体で形成される部材（フィルタ２，送風ファン６，ドレンパン８の表面及び送風フラップ４）からの磁場が付与され、空気中の細菌等の微生物が減少させられあるいは繁殖が抑制させられて、空気が浄化させられる。
【０００５】
【特許文献１】特開２００１−２０１１６９号公報
【発明の開示】
【発明が解決しようとする課題】
【０００６】
ところで、このような従来の空気清浄装置Ｄａにあっては、磁性体で形成される部材（フィルタ２，送風ファン６，ドレンパン８の表面及び送風フラップ４）が専用の部材なので、既に設置してあるエアコン等の熱交換機器に対しては、全体あるいは部品を交換しない限り設置できないことになり、設置コストが高くなるという問題があった。また、フィルタが目詰まりしたりすると、フィルタを交換するが、この場合、フィルタは磁性体で形成されているので、既存の非磁性体で形成されたフィルタに比較して製造コストが高くなり易いという問題があった。
また、磁性体で形成される部材は、形状が複雑なので、磁場の強度を高くしにくく、空気の清浄処理効率が悪くなってしまうという問題があった。
【０００７】
本発明は上記の問題点に鑑みて為されたもので、既存の装置に容易に設置できるようにして設置コストを低減し、構造を簡単にして製造コストを低減するとともに空気に付与する磁場の強度を高めることができるようにして空気の清浄効率の向上を図った空気清浄装置を提供することを目的とする。
【課題を解決するための手段】
【０００８】
このような目的を達成するための本発明の空気清浄装置は、空気が流通する筒状体で囲繞される空気経路に設けられ流通する空気に磁場を付与する空気清浄装置において、上記空気経路の中心側から外周に向けて放射状に設けられた複数の磁性体で構成されるコアを備え、該コアを上記筒状体に嵌着可能に形成している。
【０００９】
空気清浄装置のコアを組み立てる際には、複数の磁性体を用意し、例えば、磁性体同士を直接接合し、これらを放射状に設ける。
この場合、コアは、磁性体を放射状に設けた簡単な構造なので、従来に比較して容易に製造することができ、製造コストを低減でき、また、磁性体の形状も単純なものを用いることができ、個数の変更も容易なので、磁性体が形成する磁場強度を容易に高くすることができる。
【００１０】
また、コアを空気経路に設ける際は、先ず、ダクト等の筒状体の一部を開放し、コアを筒状体の内側に嵌着する。そして、筒状体の開放した箇所を元に戻す。
この際、コアを筒状体の内部に嵌着するだけで良いので、既存の熱交換器や空調システムのダクト等の筒状体に容易に設けることができ、従来に比較して、設置コストを極めて安くすることができる。
【００１１】
この状態で、筒状体の内部に空気を流通させる。この際、コアを通過する空気は、放射状に設けられた磁性体間を通過し、これらの磁性体が形成する磁場に曝される。そのため、空気に含まれる細菌等の微生物には、磁場が付与された状態になり、この磁場が微生物に影響し、微生物をある程度死滅させることができあるいは繁殖が抑制される。この際、コアの磁場強度を強くした場合には、より微生物に磁場の影響を大きく作用させることができるようになり、微生物の死滅の割合を向上させることができ、空気の清浄処理効率を向上させることができる。
【００１２】
その後、磁場が付与された空気は、例えば、部屋の内部に送られる。そして、部屋内は、徐々に、コアを通過して清浄処理された空気が多くなっていき、室内の空気中の微生物の数が減少していく。そのため、室内の空気を清浄にしておくことができる。
そして、筒状体内に空気が流通しても、コアの磁性体間はある程度幅があり目詰まりしにくいので、ほとんど交換の必要がなく、また、メンテナンスも容易になる。
【００１３】
また、必要に応じ、上記コアに中心部材を設け、上記磁性体を、磁極が周方向両側面に存する矩形板状の永久磁石で構成し、該各磁性体を上記中心部材の外側に立設している。
この場合、中心部材があるので、磁性体同士を直接接合する場合に比較して、容易に組み立てを行なうことができる。
この場合、磁性体は周方向両側面に磁極があり、空気の通る経路に磁場を確実に形成することができ、それだけ空気に付与する磁場を強くすることができる。
また、この場合、永久磁石なので、恒久的に磁場を形成することができるのでメンテナンスを容易にすることができる。
【００１４】
更にまた、必要に応じ、上記各磁性体を、隣接する磁性体同士の磁極が互いに異なるように設けている。
この際、隣り合う磁性体の側面は互いに異なる磁極を有するので、磁性体間の磁場の向きは互いの磁性体を引き合う方向になり、磁性体間を通過する空気の向きに対して磁場を直交する方向に付与できる。そのため、磁場を効率よく空気に付与することができるので、それだけ空気に含まれる微生物にも磁場の影響を及ぼし易くでき、空気の清浄処理効率を向上させることができる。
【００１５】
そしてまた、必要に応じ、上記中心部材を管体で構成し、該管体内に別の磁性体を配置している。
この際、永久磁石は、その大きさが大きくなると永久磁石の１枚あたりの単価が大幅に高くなるが、管体を設けて、その外側に磁性体を立設したので、永久磁石の大きさをある程度小さくすることができ、この点においても永久磁石１枚あたりの大きさを小さくでき、その分永久磁石の単価を安く抑えることができ、空気清浄装置全体の製造コストを低減することができる。
【００１６】
この場合、中心部材を管体で構成したので、管体の内部にも空気を通過させることができ、空気の流量を確保でき、また、空気も通過し易いので、空気の清浄処理効率を向上させることができる。
また、管体の内部に別の磁性体を設けたので、管体の内部を通過する空気にも磁場を付与することができる。
【００１７】
次にまた、上記コアを、上記空気経路を構成し両端に接続部を有した接続筒体に予め嵌着している。
この空気清浄装置を取り付ける場合には、例えば、接続筒体の接続部をダクトに接続して取り付けることができ、それだけ設置が容易になり、設置コストを低減することができる。
【００１８】
また、上記磁性体の表面磁束密度Ｂを５０ｍＴ（ミリテスラ）≦Ｂ≦１５００ｍＴ（ミリテスラ）としたことが望ましい。
この場合、筒状体内を流通する空気に含まれる微生物に影響を及ぼしやすくなり、空気中の微生物を減少させ易くすることができる。
【発明の効果】
【００１９】
本発明の空気清浄装置によれば、空気経路の中心側から外周に向けて放射状に設けられた複数の磁性体で構成されるコアを備え、コアを筒状体に嵌着可能に形成したので、既存の筒状体に容易に設けることができ、設置コストを安くすることができる。また、コアは構造が簡単で磁場強度を強くすることができ、磁場強度を強くした場合には、より微生物に影響を及ぼすことができ、空気の清浄処理効率を向上させることができる。更に、コアの磁性体間はある程度幅があり目詰まりしにくいので、ほとんど交換の必要がなく、また、メンテナンスも容易になる。
【００２０】
また、コアに中心部材を設け、磁性体を、磁極が周方向両側面に存する矩形板状の永久磁石で構成し、各磁性体を中心部材の外側に立設した場合には、中心部材があるので、磁性体同士を直接接合する場合に比較して、容易に組み立てを行なうことができる。また、磁性体は周方向両側面に磁極があり、空気の通る経路に磁場を確実に形成することができ、それだけ空気に付与する磁場を強くすることができる。更に、永久磁石なので、恒久的に磁場を形成することができるのでメンテナンスを容易にすることができる。
【発明を実施するための最良の形態】
【００２１】
以下、添付図面に基づいて、本発明の実施の形態に係る空気清浄装置について詳細に説明する。
【００２２】
図１乃至図３に示すように、この空気清浄装置Ｄ１は、空気が流通する筒状体４０で囲繞される空気経路４１に設けられ流通する空気に磁場を付与するものである。
【００２３】
この空気清浄装置Ｄ１は、図４に示すように、熱交換器１０を備えた空調システムに取り付けられている。
熱交換器１０は、図５及び図６に示すように、直方体状の筺体１１と、室内に空気を送出する送出口１２と、室外の外気を取り入れる吸引口１３と、室内の空気を取り入れる吸入口１４と、取り入れた空気を室外に排気する排気口１５と、筺体１１の内部に設けられ取り入れた空気を加温または冷却可能な熱交換部（図示せず）とを備えている。
送出口１２，吸引口１３，吸入口１４及び排気口１５は夫々同じ形状で、夫々、筺体１１側から先端側に向けて縮径するロート状の胴部１６と、この胴部１６の先端に設けられダクトに差込可能な差込部１７とを備えている。
図５及び図６中１０ａは、熱交換器１０を操作するための操作パネルである。
【００２４】
この熱交換器１０を用いた空調システムは、図４に示すように、例えば、送出口１２からは複数の部屋Ｒ（実施の形態では３つ）に対して空気を送出可能なように、送出口１２と各部屋Ｒの空気の吹出口１８とがダクト２０を介して接続されて構成されている。また、この空調システムは、吸入口１４から複数の部屋Ｒの空気を取り入れ可能なように、吸入口１４と各部屋Ｒの空気の吸込口１９とがダクト２１で接続されて構成されている。
実施の形態においては、筒状体４０は、熱交換器１０の空気の送出口１２で構成されている。
【００２５】
空気清浄装置Ｄ１は、図１乃至図３に示すように、空気経路４１の中心側から外周に向けて放射状に設けられた複数（実施の形態では１０個）の磁性体３０で構成されるコアＣを備え、コアＣを筒状体４０に嵌着可能に形成した構成としている。
【００２６】
磁性体３０は、磁極が周方向両側面に存する矩形板状の永久磁石で構成されている。また、各磁性体３０は、図２に示すように、中心部材である管体３５の外側に接着剤で固着されて立設されるとともに、隣接する磁性体３０同士の磁極が互いに異なるように設けられている。更に、各磁性体３０は、等角度関係に設けられるとともに、磁極を存しない面が管体３５の一端側の外側に揃えられて設けられている。
これらの磁性体３０は、その表面磁束密度Ｂが５０ｍＴ（ミリテスラ）≦Ｂ≦１５００ｍＴ（ミリテスラ）になるものを使用している。
【００２７】
実施の形態の磁性体３０は、例えば、縦４０ｍｍ，横４０ｍｍ，厚さ１０ｍｍに形成された２枚の矩形板状の永久磁石３１を互いに磁極が異なる面を向き合わせて接合したもので構成され、縦４０ｍｍ，横４０ｍｍ，厚さ２０ｍｍに形成されている。
実施の形態の永久磁石３１は、例えば、実測値でいうと表面磁束密度が、Ｎ極側が１４８．６ｍＴ（ミリテスラ），Ｓ極側が１４９．６ｍＴ（ミリテスラ）のものを使用した。この永久磁石３１を２枚接合した磁性体３０の表面磁束密度Ｂは、Ｎ極側が１７０．０ｍＴ（ミリテスラ），Ｓ局側が１７０．０ｍＴ（ミリテスラ）になった。
【００２８】
また、中心部材としての管体３５は、例えば、直径６０ｍｍ厚さ１０ｍｍに形成された樹脂製のパイプで構成されている。中心部材としての管体３５内には、別の磁性体３０が配置されている。この別の磁性体３０は、放射状に設けられた磁性体３０と同じものが使用され、その磁極を存しない端面と管体３５内壁とを接着剤で接合して管体３５内に設けられている。この管体３５内に配置された磁性体３０は、管体３５の内部を通過する空気に対して磁場を付与するために設けられている。
【００２９】
空気清浄装置Ｄ１であるコアＣを組み立てる際には、例えば、予め、２枚の永久磁石３１を接合してなる磁性体３０を１１個用意し、このうち１０個を接着剤により管体３５の外側に等角度関係で接着する。そして、１個の磁性体３０を管体３５の内部に挿入するとともにこの磁性体３０を接着剤により管体３５の内壁に接着する。
この際、コアＣは、従来に比較して、構造が簡単なので、製造コストを低減でき、また、コアの構造が簡単なので、コアＣの磁場強度を高く設定できる。
また、この際、磁性体３０は、一つの永久磁石で作成すると、その大きさが大きくなって大幅に高くなるが、磁性体３０を２枚の永久磁石３１を接合して形成したので、磁性体３０を１枚の永久磁石で形成した場合に比較して、磁性体３０の１枚あたりの値段を安く抑えることができ、空気清浄装置Ｄ１全体の製造コストを低減することができる。
【００３０】
更に、この際、中心部材である管体３５は非磁性体で磁場を形成しないことから、管体３５に接着する磁性体３０に影響しないので、磁性体３０を接着させ易くなり、容易に組み立てを行なうことができる。
更にまた、この際、管体３５を設けて、その外側に磁性体３０を立設したので、永久磁石３１の大きさをある程度小さくすることができ、この点においても永久磁石３１の１枚あたりの大きさを小さくでき、その分永久磁石３１の単価を安く抑えることができ、空気清浄装置Ｄ１全体の製造コストを低減することができる。
【００３１】
この空気清浄装置Ｄ１であるコアＣを空気経路４１に設ける際は、図３に示すように、先ず、ダクト２０を熱交換器１０の送出口１２の差込部１７から外す。次に、コアＣの管体３５の他端部を把持し、管体３５の軸が筒状体４０である送出口１２の差込部１７の軸と同軸になるようにした状態でコアＣを差込部１７内に挿入し、コアＣを差込部１７の内部に嵌着する。そして、差込部１７に、ダクト２０を嵌めて元の状態に戻す。
この際、コアＣを筒状体４０の内部に嵌着するだけで設置できるので、既存の熱交換器１０にも容易に設けることができ、従来に比較して、設置コストを極めて安くにすることができる。
【００３２】
この状態で、熱交換器１０を作動させ、吸込口１９，ダクト２１を介して吸入口１４から部屋Ｒ内の内気を取り入れるとともに、この空気を、熱交換器１０の内部で加温または冷却するかあるいはそのままの状態で送出口１２から送出させる。この場合、送出口１２を通過する空気は、コアＣが設けられた箇所で管体３５の外側と、管体３５の内側とに分かれて通過し、その後合流し、ダクト２０を介して部屋Ｒ内に送られていく。
【００３３】
この際、管体３５の外側を通過する空気は、放射状に設けられた磁性体３０間を通過し、これらの磁性体３０が形成する磁場に曝される。一方、管体３５の内側を通過する空気は、管体３５の内部の磁性体３０が形成する磁場に曝される。そのため、空気に含まれる細菌等の微生物には、磁場が付与された状態になり、この磁場が微生物に影響し、微生物をある程度死滅させることができあるいは繁殖が抑制される。
また、この際、コアＣは簡単な構造で、磁場強度を容易に高くでき、磁場強度を高くした場合には、より微生物に磁場の影響を大きく及ぼせるようになり、微生物の死滅の割合を向上させることができ、空気の清浄処理効率を向上させることができる。
【００３４】
また、この際、中心部材を管体３５で構成したので、管体３５の内部にも空気を通過させることができ、空気の流量を確保でき、また、空気も通過し易いので、空気の清浄処理効率を向上させることができる。
また、この際、磁性体３０は、そのまま１枚の永久磁石３１を使用する場合に比較して、２枚の永久磁石３１を接合して表面磁束密度Ｂをより大きくしてより強い磁場を形成しているので、空気に含まれる微生物にも磁場の影響を及ぼし易くでき、空気の清浄処理効率を向上させることができる。
【００３５】
また、この際、管体３５の外側においては、隣り合う磁性体３０の側面は互いに異なる磁極を存するので、磁性体３０間の磁場の向きは互いの磁性体３０を引き合う方向になり、磁性体３０間を通過する空気の向きに対して磁場を直交する方向に付与できる。そのため、磁場を効率よく空気に付与することができるので、それだけ空気に含まれる微生物にも磁場の影響を及ぼし易くでき、空気の清浄処理効率を向上させることができる。
【００３６】
次に、この磁場が付与された空気は、室内に送られる。そして、部屋Ｒ内は、徐々に、コアＣを通過して清浄処理された空気が多くなっていき、室内の空気中の微生物の数が減少していく。そのため、部屋Ｒ内の空気を清浄にしておくことができる。
そして、熱交換器１０が作動させられて筒状体４０内に空気が流通しても、コアＣの磁性体３０間はある程度幅があり目詰まりしにくいので、ほとんど交換する必要がなく、メンテナンスが容易になる。
【００３７】
図７には、別の実施の形態に係る空気清浄装置Ｄ２を示している。
この空気清浄装置Ｄ２は、上記の実施の形態と同様のコアＣを備えている。また、この空気清浄装置Ｄ２は、空気経路４１を構成し両端に接続部３８を有した接続筒体３７を備えている。そして、コアＣは、その管体３５の軸と接続筒体３７の軸とが同軸になるように接続筒体３７に予め嵌着されて設けられている。
接続筒体３７は、例えば、断面円形の樹脂製パイプで構成されている。また、接続筒体３７の接続部３８は、例えば、筒状体の内部に挿通可能なように接続筒体３７の一般部よりも小径に形成されている。
この空気清浄装置Ｄ２は、例えば、図４に示すように、熱交換器１０の送出口１２側のダクト２０に取り付けられている。
【００３８】
この実施の形態の空気清浄装置Ｄ２を取り付ける場合には、例えば、ダクト２０の一部を切断するとともに、この箇所に接続筒体３７を接続する。
この場合、ダクト２０を切断し、この箇所に接続筒体３７を接続するので、既存の熱交換器１０を用いた空調システムにも取り付け易くすることができ、設置コストを低減することができる。
この実施の形態の空気清浄装置Ｄ２を取り付けた状態で熱交換器１０を作動させると、上記の実施の形態の空気清浄装置Ｄ１の場合と同様の作用，効果が得られる。
【００３９】
尚、空気清浄装置Ｄ２を取り付ける位置としては、送出口１２の直後に設けたが、これに限定されるものでなく、図８に示すように、各部屋Ｒの吹出口１８の直前に設けても良い。
尚また、実施の形態においては、空気清浄装置Ｄ１，Ｄ２は、送出口１２，送出口１２側のダクト２０に設けたがこれに限定されるものでなく、吸引口１３，吸入口１４，吸引口１３に接続されるダクト２１及び吸入口１４に接続されるダクト２１のいずれの箇所に設けてもよく適宜変更して差し支えない。
【００４０】
［実験例］
実験例として、上記の熱交換器１０の送出口１２に空気清浄装置Ｄ１を設けた場合と、熱交換器１０の送出口１２に空気清浄装置Ｄ１を設けなかった場合とで微生物の処理能力を比較した比較実験を行なった。
【００４１】
この比較実験は、図９に示すように、密封された部屋Ｒ（７５ｍ3 ）内に上記の熱交換器１０を設置し連続して熱交換器１０の吸入口１４から部屋Ｒ内の空気を吸い込ませて送出口１２から空気を送出させ、経過時間毎に、部屋Ｒ内の空気（１０００リットル）中の一般細菌の個数と、部屋Ｒ内の空気（１０００リットル）中の真菌の個数とを調べた。
また、この比較実験において、空気清浄装置Ｄ１の磁性体３０に一般細菌と真菌とが吸着された可能性の検討のために、磁性体３０に付着した所定面積（４０ｃｍ2 ）あたりの一般細菌の個数及び空気清浄装置Ｄ１の磁性体３０に付着した所定面積（４０ｃｍ2 ）あたりの真菌の個数も調べた。
【００４２】
この比較実験に用いた空気清浄装置Ｄ１のコアＣの磁性体３０としては、１８５０ガウスのＡ社製の永久磁石で、４０×４０×５ｍｍのものを２枚組み合わせて１組として使用し、直径１５０ｍｍのポリ塩化ビニール製の筒状体４０に放射状に１０組、中心部の塩化ビニール製の管体３５に１組固定した。その結果、磁石間の最大幅の部分で１８００ガウスとなった。
【００４３】
微生物試験は、衛生試験法（例えば、日本薬学会編：衛生試験法・注解、金原出版(２０００)に記載）に準じて行った。
また、微生物の試料の吸引は、Ｂｉｏｔｅｓｔ社製ＲＣＳ  Ｐｌｕｓエアサンプラーを用い、熱交換器１０の送出口１２から３ｍ離れた高さ１．５ｍの地点で行なった。
一般細菌は、空気を２００リットル吸引したあとアガーストリップＴＣ（バイオテスト株式会社社製）を用い、３０℃，２日間の培養で測定した。
真菌の生育は、１０００リットル吸引したあとアガーストリップＹＭ（バイオテスト株式会社社製）を用い２５℃で５日間の培養で測定した。
この比較実験において、熱交換器１０として、東芝株式会社製熱交換・換気ユニットＶＮ−３５０ＳＳ２を用いた。熱交換器１０の送出口１２からの風量は３５０ｍ3 ／ｈに設定した。
【００４４】
（１）経過時間毎の部屋Ｒ内の空気（１０００リットル）中の一般細菌の個数
図１０に結果を示す。一般細菌については、真菌と吸引量をあわせるため１０００リットルに換算して示した。空気清浄装置Ｄ１を設けないで空気を流した場合、開始時菌数に対して、３時間で２.５倍以上になり、以降減少に転じ、２４時間後には開始時の同数以上に戻っていた。一方、空気清浄装置Ｄ１を設けて空気を流した場合、開始時菌数に対して、１時間で２倍近くなり磁場なしと類似の変化であったが、３時間後には大幅に減少し、２４時間後でも減少を維持していた。このように、空気を流動させると、磁場の存在が浮遊一般細菌数を減少させる結果となった。
【００４５】
（２）経過時間毎の部屋Ｒ内の空気（１０００リットル）中の真菌の個数
図１１に結果を示す。浮遊真菌類については、初発菌数自体が多くなかったが、空気清浄装置Ｄ１を設けないで空気を流した場合には、３時間で２倍近くになりその後若干減少したが、２４時間後には開始時の菌数以上になった。一方、空気清浄装置Ｄ１設けて空気を流した場合には、１時間後には半減し、９時間以降には真菌は検出されなかった。このように、空気を流動させると、磁場の存在が浮遊真菌数を減少させる結果となった。
【００４６】
（３）経過時間毎の磁性体３０に付着した所定面積（４０ｃｍ2 ）あたりの一般細菌の個数
図１２に結果を示す。空気清浄装置Ｄ１の磁性体３０に付着した一般細菌の個数は、３時間目に若干検出されたが、以降減少に転じ、９時間目からは検出されなかった。
（４）経過時間毎の磁性体３０に付着した所定面積（４０ｃｍ2 ）あたりの一般細菌の個数
図１３に結果を示す。空気清浄装置Ｄ１の磁性体３０に付着した一般細菌の個数は、１時間後に若干検出されたが、以降減少に転じ、３時間目からは検出されなかった。
【００４７】
図１４には、上記実験における、測定時の環境条件を示す。温度は１５℃〜２５℃程度、湿度は５０〜６０％の環境下であった。
【００４８】
以上の結果より、空気清浄装置Ｄ１の磁性体３０で形成した磁場の中に空気を通過させた場合、浮遊一般微生物は、磁場を通過させないものに比べ大きく減少し、極めて効果が高いことが判った。また、微生物は、磁石に付着することで減少するというより、空中に浮遊している微生物が磁場の影響を受け、その繁殖が抑制される可能性が大きいということも判った。
【図面の簡単な説明】
【００４９】
【図１】本発明の実施の形態に係る空気清浄装置を筒状体に嵌着した状態で示す側面図である。
【図２】本発明の実施の形態に係る空気清浄装置を示す斜視図である。
【図３】本発明の実施の形態に係る空気清浄装置の取り付け状態を示す斜視図である。
【図４】本発明の実施の形態に係る空気清浄装置が適用される空調システムの一例を示す図である。
【図５】本発明の実施の形態に係る空気清浄装置が適用される空調システムに取り付けられる熱交換器を示す斜視図である。
【図６】本発明の実施の形態に係る空気清浄装置が適用される空調システムに取り付けられる熱交換器を示す平面図である。
【図７】本発明の別の実施の形態に係る空気清浄装置を一部切り欠いた状態で示す斜視図である。
【図８】本発明の実施の形態に係る空気清浄装置が適用した他の空調システムの一例を示す図である。
【図９】本発明の実験例に係る部屋を、その空気清浄装置の配置関係とともに示す図である。
【図１０】実験例の結果を示し、経過時間毎の空気１０００リットル中の一般細菌個数を図である。
【図１１】実験例の結果を示し、経過時間毎の空気１０００リットル中の真菌の個数を示す図である。
【図１２】実験例の結果を示し、経過時間毎の空気清浄装置のコアの磁性体に付着した一般細菌の個数を図である。
【図１３】実験例の結果を示し、経過時間毎の空気清浄装置のコアの磁性体に付着した真菌の個数を示す図である。
【図１４】実験例において、測定時の環境条件を示す図である。
【図１５】従来の空気清浄装置の一例を示す図である。
【符号の説明】
【００５０】
Ｄ１，Ｄ２  空気清浄装置
Ｃ  コア
Ｒ  部屋
１０  熱交換器
１１  筺体
１２  送出口
１３  吸引口
１４  吸入口
１５  排気口
１６  胴部
１７  差込部
１８  吹出口
１９  吸込口
１９ａ  排気孔
２０，２１  ダクト
３０  磁性体
３１  永久磁石
３５  管体
３７  接続筒体
３８  接続部
４０  筒状体
４１  空気経路
【図１】
2006175167.tif 000003
【図２】
2006175167.tif 000004
【図３】
2006175167.tif 000005
【図４】
2006175167.tif 000006
【図５】
2006175167.tif 000007
【図６】
2006175167.tif 000008
【図７】
2006175167.tif 000009
【図８】
2006175167.tif 000010
【図９】
2006175167.tif 000011
【図１０】
2006175167.tif 000012
【図１１】
2006175167.tif 000013
【図１２】
2006175167.tif 000014
【図１３】
2006175167.tif 000015
【図１４】
2006175167.tif 000016
【図１５】
2006175167.tif 000017